(57)【要約】【課題】  修繕を容易且つ低廉に行うことを可能とし、さらに、複数の音楽ジャンルや流派に対応することを可能とする弦楽器用の撥であって、通常の撥と比較しても、操作感及び耐久性等に遜色がない弦楽器用の撥を提供すること。【解決手段】  本発明の弦楽器用の撥は、握部の先端部近傍に、撥先に嵌合する撥先部が設けられ、撥先を交換自在とする一対の握部と、根元側に前記撥先嵌合部と対応する握部挿入部を有する撥先と、前記握部の内部中央から撥尻にかけて、複数の重り収納部と、当該重り収納部の周囲に配置された支持部と、当該重り収納部に対応する重りとから構成される重心調整機構とを備える。【選択図】  図６
2019197087.tif 000002
【特許請求の範囲】
【請求項１】
先端部近傍に、撥先に嵌合する撥先嵌合部が設けられ、撥先を交換自在とする一対の握部と、
根元側に前記撥先嵌合部と対応する握部挿入部を有する撥先と、
前記握部内部と前記撥先との間に配置される保持部材と、
を、備えたことを特徴とする弦楽器用の撥。
【請求項２】
前記握部の内部中央から撥尻にかけて複数設けられる重り収納部と、当該重り収納部に隣接して設けられる支持部と、当該重り収納部に対応する重りと、から構成される重心調整機構を備えたことを特徴とする請求項１に記載の弦楽器用の撥。
【請求項３】
前記撥先は、先端部の両端の厚みがそれぞれ異なることを特徴とする請求項１及び２に記載の弦楽器用の撥。
【発明の詳細な説明】
【技術分野】
【０００１】
本発明は、撥先の交換を容易及び低廉に行うことができ、且つ、撥先のしなり具合及び撥本体の重心の調整機構を備えた弦楽器用の撥に関するものである。
【背景技術】
【０００２】
従来、弦楽器、特に三味線用の撥は、全体が象牙、水牛の角、鼈甲又は木材を素材として作製され、若しくは象牙、水牛の角製の握り部の先に鼈甲製等の撥先を接着して作製されることが通例である。そのため、撥先が破損したり、曲がりが生じたりした場合には、撥全体を交換するか、若しくは握り部から撥先を剥がして新品の撥先を再度接着する必要があった。
【０００３】
また、弦楽器の奏者は、例えば地歌、柳川、長唄等の音楽ジャンルや流派に応じて撥を使い分けて、音色や演奏方法を変更するため、材質や大きさの異なる撥を複数揃える必要があった。すなわち、弦楽器用、特に三味線用の撥は、それ自体が高価であるため、撥の修繕や、音楽ジャンルに応じた複数の撥を複数揃えることには、多くの費用を必要とした。これらを解決するために下記特許文献が開示されている。
【先行技術文献】
【特許文献】
【０００４】
【特許文献１】特開２００４−２１２４６４号公報
【特許文献２】実開Ｈ４−７２２９０号公報
【発明の概要】
【発明が解決しようとする課題】
【０００５】
しかしながら、特許文献１に係る発明は、バチ本体部を挟み込むための挟み片を、握り部に装着する構成である。そのため、演奏中の振動により装着部が緩みバチ本体部がずれてしまうという問題点や、撥を握る際に親指部分が挟み片及びバチ本体部の境界に位置してしまい繊細な感覚が得難いという問題点があった。さらに、前記構成のため、通常の撥の外観に比べ、一体性がなく違和感があった。
【０００６】
また、特許文献２に係る考案は、握部内部に長孔を設け、ボルト及び重りを載置することにより撥の重心を可変できる構成である。そのため、握部内部のほとんどの領域を空洞化する必要があり、撥の耐久性が落ちてしまうという問題点があった。
【０００７】
本発明は、前記課題に鑑み提案されたものである。すなわち、本発明の技術的課題は、修繕を容易且つ低廉に行うことを可能とし、さらに、複数の音楽ジャンルや流派に対応することを可能とする弦楽器用の撥であって、通常の撥と比較しても、操作感及び耐久性等に遜色がない弦楽器用の撥を提供することにある。
【課題を解決するための手段】
【０００８】
前記課題を解決するために、本発明の弦楽器用の撥は、先端部近傍に、撥先に嵌合する撥先嵌合部が設けられ、撥先を交換自在とする一対の握部と、根元側に前記撥先嵌合部と対応する握部挿入部を有する撥先と、前記握部内部と前記撥先との間に配置される保持部材とを備えたこと      を特徴とする。
【０００９】
また、前記発明において、本発明の弦楽器用の撥は、前記握部の内部中央から撥尻にかけて複数設けられる重り収納部と、当該重り収納部に隣接して設けられる支持部と、当該重り収納部に対応する重りと、から構成される重心調整機構を備えたことを特徴とする。
【００１０】
また、前記発明において、本発明の弦楽器用の撥は、前記撥先は、先端部の両端の厚みがそれぞれ異なることを特徴とする。
【図面の簡単な説明】
【００１１】
【図１】本発明の撥を示す斜視図である。
【図２】本発明の握部を示す構成図である。
【図３】本発明の握部の変形例を示す構成図である。
【図４】握部に設けられた重心調整機構の使用状態を示す構成図である。
【図５】本発明の撥先を示す構成図である。
【図６】本発明の分解斜視図である。
【発明を実施するための形態】
【００１２】
以下に、本発明の好適な一実施形態を、図面を参照しながら説明する。
【００１３】
図1は、本発明の撥１００を示す斜視図である。図２は、本発明の握部１を示す構成図であり、（ａ）はその正面図、（ｂ）はその側面図、（ｃ）はＡ―Ａ’拡大断面図である。図３は、本発明の握部１の変形例を示す構成図であり、（ａ）はその正面図、（ｂ）はその側面図である。前記撥１００は、一対の前記握部１と、前記握部１の先端部１ａに前記撥先２を配置することで構成される。
【００１４】
図２に示すとおり、前記握部１は、両側面を滑らかな曲面とする一対の矩形体であって、象牙、水牛の角、鼈甲、木材又は合成樹脂を素材として構成される。前記握部１の先端部１ａ近傍には、後述する撥先２に嵌合する撥先嵌合部１ｂが、先端部１ａ側を開口した凹部として設けられる。さらに、前記撥先嵌合部１ｂの内部には、撥先２を確実に保持するために、保持部材１ｃが配置される。当該保持部材１ｃには、演奏時の振動を吸収し、且つ、確実に撥先２を保持することが求められるため、人口筋肉に用いられるソルボセインを採用することが好ましい。前記保持部材１ｃには、そのほかにゴム、シリコンゴム等が採用できる。前記一対の握部１同士の組み立てには、接着、嵌め込み式又はネジ止め式等の手段が適宜採用できる（図示省略）。当該構成とすることで、前記撥１００は、撥先が交換自在なものとなる。
【００１５】
図４は、握部１に設けられた重心調整機構１ｄの使用状態を示す構成図であり、（ａ）はその側面図、（ｂ）は一部拡大図、（ｃ）はＢ−Ｂ’拡大断面図である。図２乃至図４に示すとおり、前記握部１の内部中央から撥尻にかけての部分には、重心調整機構１ｄが設けられる。詳細には、撥１００の重心を調整するための重りＷを収納する重り収納部１ｅが、凹部として前記握部１の内部中央から撥尻にかけて複数設けられ、また、当該重り収納部１ｅの周囲を囲うように隣接した支持部１ｆが設けられる。重りＷの形状は、矩形体、球等が採用できるほか、図３（ａ）に示すとおり、エ字型等も採用できる。重りＷの材質は鉛やタングステン等の金属類のほか、ゴムや合成樹脂等も採用できる。前記重り収納部１ｅは当該重りＷに対応する形状で形成される。また、重り収納部１ｅ内部、すなわち、前記握部１と重りＷの間には、前記保持部材１ｃを配置することが好ましい（図４（ｃ）参照）。この構成とすることで、前記握部１、前記保持部材１ｃ及び前記重りＷが常に密着し握部１内部が一体となるため、耐久性が落ちることがない。さらに、演奏時の振動により、重りＷが移動することを抑制し、前記握部１及び重りＷの摩耗や雑音の発生を防ぐことができる。
【００１６】
前記重心調整機構１ｄによれば、音楽ジャンルや流派、また、奏者の好みに応じて撥１００の重心を調整することが可能となる。さらに、前記重り収納部１ｅは、前記握部１の内部に必要最小限の空洞しか設けず、且つ、その周囲を前記支持部１ｆが囲う様に形成されているため、通常の撥と比較しても、同程度の耐久性を確保できる。熟練の奏者であれば、常に力みのない状態で撥を操作し演奏を行うことが可能であるが、そうでない多くの奏者は往々にして、弦を強く弾こうと力みがちになるものである。そうであれば、常に奏者からの力や演奏による衝撃又は振動を受け続ける撥１００にとって、重心調整機能を保持しつつ、耐久性をも確保できる前記重心調整機構１ｄは非常に有用なものである。
【００１７】
図５は、本発明の撥先２を示す構成図であり、（ａ）はその正面図、（ｂ）はその側面図、（ｃ）はその平面図である。前記撥先２は、象牙、水牛の角、鼈甲、木材又は合成樹脂を素材とする。また、前記撥先２は、根元側に、握部挿入部２ａを形成し、先端側に先端部２ｂを形成する。前記握部挿入部２ａは、前記撥先嵌合部１ｂに対応する形状であり、前記保持部材１ｃの厚み分小さく設計される。前記撥先２の、前記握部１への固定には、ねじ込み式、嵌め込み式又はネジ止め式等を適宜採用できる（図示省略）。
【００１８】
前記先端部２ｂは、通常の撥の形状と同様、根元方向から先端方向へ向かって厚みが薄くなるよう形成されている。さらに、図５（ａ）の正面視において、前記先端部２ｂの左側２Ｌ及び右側２Ｒとが異なる厚みで形成されているため、それぞれしなり具合が異なる。
【００１９】
前記撥先２の構成によれば、音楽ジャンルや流派、また、奏者の好みに応じて撥先２のみを容易且つ低廉に交換することが可能であり、さらに、一つの撥先２においても状況に応じての使い分けが可能となる。
【００２０】
次に、図６を参照して、本発明の使用方法を説明する。まず、奏者は、一対の握部１の嵌合等を解除し、破損した撥先２及び重りＷを握部１より取り外す。次に、一対の握部１の片方の重り収納部１ｅへ、任意の数量及び場所へ重りＷを配置し、新品の撥先２を撥先嵌合部１ｂへ配置する。最後に、もう一方の握部１で蓋をするようしっかりと嵌合等をすることで撥先等の交換が容易、低廉且つ自在に行える。
【００２１】
本発明の撥１００によれば、奏者は、音楽ジャンルや流派、また、好みに応じた撥先を選択し容易且つ低廉に交換することができる。撥先が破損した場合においても同様に、撥全体ではなく、撥先のみを容易且つ低廉に交換することができる。また、本発明の撥１００は、撥全体の重心及び撥先のしなり具合を任意に調整することを可能とし、且つ、重心調整機構を保持したままであっても通常の撥と同程度の耐久性を得られるものである。さらに、前記握部１と、撥先２並びに重りＷとの間に前記保持部材１ｃを設けることで、演奏の振動を起因とする、撥先２及び重りＷの揺れを抑制し、各部品・部材の摩耗を最小限に抑えることを可能とする。
【００２２】
以上、本発明の好適な一実施例を述べたが、これにより本発明が限定されるものではない。
【００２３】
すなわち、前記握部１及び前記撥先２の形状・材質は、前述したもの以外にも任意に選択することが可能である。
【符号の説明】
【００２４】
１００  撥
１      握部
１ａ    握部先端部
１ｂ    撥先嵌合部
１ｃ    保持部材
１ｄ    重心調整機構
１ｅ    重り収納部
１ｆ    支持部
２      撥先
２ａ    握部挿入部
２ｂ    撥先先端部
Ｗ      重り
【図１】
2019197087.tif 000003
【図２】
2019197087.tif 000004
【図３】
2019197087.tif 000005
【図４】
2019197087.tif 000006
【図５】
2019197087.tif 000007
【図６】
2019197087.tif 000008